(57)【要約】      （修正有）【課題】光の照射がなくとも抗がん剤を分解することが可能な抗がん剤曝露対策用品を提供する。【解決手段】繊維素材又は、繊維製品の繊維部に抗がん剤分解剤を担持させて成る抗がん剤曝露対策用品であって、前記抗がん剤分解剤が、カリウム、アルミニウム、鉄及びチタンを含む金属組成物とゼオライトを含み、前記抗がん剤分解剤は、触媒としての機能を有し、該触媒効果により空気中の酸素や水分と反応して、ヒドロキシラジカルや過酸化水素水等の活性酸素が生成され、生成された活性酸素により、抗がん剤を分解することができる。【選択図】図１
0003225867.tif 000002
【実用新案登録請求の範囲】
【請求項１】
繊維素材又は，繊維製品の繊維部に抗がん剤分解剤を担持させて成る抗がん剤曝露対策用品であって，
前記抗がん剤分解剤が，カリウム，アルミニウム，鉄及びチタンを含む金属組成物とゼオライトを含むことを特徴とする抗がん剤曝露対策用品。
【請求項２】
前記抗がん剤分解剤が，水９９．９％，鉄０．０３％，カリウム０．０３％，アルミニウム０．０２％，チタン０．０１％，ゼオライト０．０１％からなる抗がん剤分解液の乾燥物であることを特徴とする請求項１記載の抗がん剤曝露対策用品。
【請求項３】
前記繊維素材又は，前記繊維製品の繊維部が，天然繊維又は化学繊維で構成されていることを特徴とする請求項１又は２記載の抗がん剤曝露対策用品。
【請求項４】
前記繊維素材又は，前記繊維製品の繊維部が，綿又は，レーヨンで構成されていることを特徴とする請求項１〜３いずれか１項記載の抗がん剤曝露対策用品。
【請求項５】
前記繊維素材は，繊維，糸，織布，不織布，編物，又は紙である請求項１〜４いずれか１項記載の抗がん剤曝露対策用品。
【請求項６】
前記繊維製品は，サポーター，マスク，包帯，ガーゼ，オムツ，タオル，ハンカチ，患者着，白衣，手術衣，介護衣，防護服，下着，上着，靴下，腹巻，寝衣，帽子，手袋，マット，枕カバー，布団カバー，タオルケット，掛け布団，敷パット，毛布，シーツ，枕，マットレス，ひざ掛け，テーブルクロス，カーペット，絨毯，クッション，クッションカバー，マルチカバー，カーテン，スリッパ，のれん，バスローブ，トイレ用マット，バスマット，便座カバー，エアコンのフィルター，空気清浄機のフィルター，壁紙，ふすま紙，又は，安全キャビネット用シートである請求項１〜５いずれか１項記載の抗がん剤曝露対策用品。
【請求項７】
前記繊維素材の表面又は，前記繊維製品の繊維部の表面にバインダーが付着された請求項１〜６いずれか１項記載の抗がん剤曝露対策用品。
【考案の詳細な説明】
【技術分野】
【０００１】
本考案は，例えばシクロホスファミド，フルオロウラシル等の抗がん剤の曝露予防を可能とする抗がん剤曝露対策用品に関するものである。
【背景技術】
【０００２】
抗がん剤は，がん細胞を死滅させる作用がある一方で，正常な細胞にも影響して副作用をもたらす。例えば，抗がん剤の中には，シクロホスファミドのように発がん性を有するものがある。
【０００３】
近年，抗がん剤を扱う医療従事者や，抗がん剤の投与を受けている患者の家族等が，上述の抗がん剤に曝露する問題が報告されている。
【０００４】
抗がん剤は，気化して拡散することが知られており，抗がん剤調製時のみならず，抗がん剤の運搬時，投与時においても拡散し，また，抗がん剤使用後の廃棄物からも拡散する。さらには，抗がん剤を投与された患者の息や，排泄物，また，汗，唾液，尿，血液等の体液にも抗がん剤が含まれており，これらからも抗がん剤が拡散することが知られている。
【０００５】
抗がん剤の主な曝露経路としては，上述のように拡散した抗がん剤を，呼吸による吸引，皮膚吸収，経口摂取等が挙げられる。
【０００６】
上述した抗がん剤の曝露対策として，特許文献１には，抗がん剤を吸着し，可視光による光触媒作用により前記抗がん剤を分解することが可能な内装材であって，基材と基材の表面に固着される二酸化チタン粒子を有する多孔質被膜とを備えた内装材が提案されている。
【０００７】
前記二酸化チタン（光触媒）が，可視光の照射により光触媒活性を発現することで抗がん剤を分解する。
【０００８】
また，前記基材としては，タイル，衛生陶器，ガラス，鏡，コンクリート製の部材（例えば，板，棒，ブロック，フィルム等，以下，同じ。），樹脂製の部材，金属製の部材，天然繊維及び化学繊維のいずれか一方又は双方を組み合わせた複合繊維で形成した織物（三次元織物も含む）や不織布等の成形品等が挙げられている。
【０００９】
そして，上述の内装材を，例えば，抗がん剤の製剤に使用する安全キャビネット，安全キャビネットが設置される製剤室，ナースステーション，外来化学療法室，処置室，廊下，病室，洗面所，トイレ等の抗がん剤（抗がん剤の分解過程における中間生成物を含む）に曝露される空間に設置することで，抗がん剤の曝露対策となることが開示されている。
【先行技術文献】
【特許文献】
【００１０】
【特許文献１】特開２０１７−２２１９１４号公報
【考案の概要】
【考案が解決しようとする課題】
【００１１】
しかしながら，上述の内装材に用いられている二酸化チタン（光触媒）は，光触媒活性を発現するために可視光の照射を必要としており，可視光が得られない場所では，前記内装材を設置しても抗がん剤を分解できず，抗がん剤の曝露対策ができない問題があった。
【００１２】
上述の問題点に鑑み，可視光が得られない場所においても，抗がん剤を分解することが可能な抗がん剤曝露対策用品を提供することを目的する。
【課題を解決するための手段】
【００１３】
本考案の抗がん剤曝露対策用品は， 
繊維素材又は，繊維製品の繊維部に抗がん剤分解剤を担持させて成る抗がん剤曝露対策用品であって，
前記抗がん剤分解剤が，カリウム，アルミニウム，鉄及びチタンを含む金属組成物とゼオライトを含むことを特徴とする（請求項１）。
【００１４】
前記抗がん剤分解剤が，水９９．９％，鉄０．０３％，カリウム０．０３％，アルミニウム０．０２％，チタン０．０１％，ゼオライト０．０１％からなる抗がん剤分解液の乾燥物であることが好ましい（請求項２）。
【００１５】
前記繊維素材又は，前記繊維製品の繊維部が，天然繊維又は化学繊維で構成され（請求項３），特に，前記繊維素材又は，前記繊維製品の繊維部が，綿又は，レーヨンで構成されていることが好ましい（請求項４）。
【００１６】
前記繊維素材は，繊維，糸，織布，不織布，編物，又は紙であると好適である（請求項５）。
【００１７】
また，前記繊維製品は，サポーター，マスク，包帯，ガーゼ，オムツ，タオル，ハンカチ，患者着，白衣，手術衣，介護衣，防護服，下着（肌着を含む），上着，靴下（ストッキング，タイツなどを含む），腹巻，パジャマ（寝衣），帽子，手袋，マット，枕カバー，布団カバー，タオルケット，掛け布団，敷パット，毛布，シーツ，枕，マットレス，ひざ掛け，テーブルクロス，カーペット，絨毯，クッション，クッションカバー，マルチカバー，カーテン，スリッパ，のれん，バスローブ，トイレ用マット，バスマット，便座カバー，エアコンのフィルター，空気清浄機のフィルター，壁紙，ふすま紙，又は，安全キャビネット用シートであっても良い（請求項６）。
【００１８】
また，前記繊維素材の表面又は，前記繊維製品の繊維部の表面にバインダーが付着されても良い（請求項７）。
【考案の効果】
【００１９】
以上で説明した本考案の抗がん剤曝露対策用品は，光の照射がなくとも抗がん剤を分解することが可能である。
【図面の簡単な説明】
【００２０】
【図１】含浸装置１０を示す概略図。
【図２】他の含浸装置２０を示す概略図。
【考案を実施するための形態】
【００２１】
本考案は，繊維素材又は，繊維製品の繊維部に抗がん剤分解剤を担持（付着あるいは含有）させて成る抗がん剤曝露対策用品である。
【００２２】
本考案の繊維素材には，繊維，糸，織布，不織布，編物や，紙等が含まれる。
【００２３】
また，前記繊維素材を構成する繊維としては，公知のものを使用でき，例えば，綿，羊毛，麻，パルプ，絹等の天然繊維の他，化学繊維も使用することができる。前記化学繊維としては，合成繊維，半合成繊維や再生繊維等が挙げられ具体的には，レーヨン，ナイロン，ポリプロピレン，ポリエチレン，ポリアミド，ポリエステル，アクリル，ビニロン，アラミド繊維等が挙げられる。
【００２４】
なお，後述する抗がん剤分解剤の担持の観点から，綿やレーヨン等のセルロース系素材が好ましい。
【００２５】
また，本考案の繊維製品は，上述の繊維素材に抗がん剤分解剤を担持させた抗がん剤曝露対策用品を用いて製造されたものでも良く，又は，既製品の繊維部に抗がん剤分解剤を担持させたものでも良い。
【００２６】
本考案の繊維製品は，種々に及び，例えば，サポーター，マスク，包帯，ガーゼ，オムツ，タオル，ハンカチ，患者着，白衣，手術衣，介護衣，防護服，下着（肌着を含む），上着，靴下（ストッキング，タイツなどを含む），腹巻，パジャマ（寝衣），帽子，手袋，マット，枕カバー，布団カバー，タオルケット，掛け布団，敷パット，毛布，シーツ，枕，マットレス，ひざ掛け，テーブルクロス，カーペット，絨毯，クッション，クッションカバー，マルチカバー，カーテン，スリッパ，のれん，バスローブ，トイレ用マット，バスマット，便座カバー，エアコンのフィルター，空気清浄機のフィルター，壁紙，ふすま紙，更には，抗がん剤の調製等が行われる安全キャビネット内で使用されるシート等を挙げることができる。
【００２７】
次に，本考案に使用される抗がん剤分解剤について説明する。
【００２８】
本考案に使用される抗がん剤分解剤は，鉄，アルミニウム，カリウム及びチタンを含む金属組成物及び，ゼオライトを含むものである。
【００２９】
前記抗がん剤分解剤は，触媒としての機能を有し，該触媒効果により空気中の酸素や水分と反応して，ヒドロキシラジカルや過酸化水素水等の活性酸素が生成され，生成された活性酸素により，例えばシクロホスファミドやフルオロウラシル等の抗がん剤を分解することができる。
【００３０】
さらに，本考案の抗がん剤分解剤は，光照射がなくとも上述の触媒機能を発現することができるものである。 
【００３１】
光照射がなくとも触媒機能を発現する原理の一つを説明すると，本考案の抗がん剤分解に含まれるカリウムには，極微量ながら質量数４０の不安定な放射性同位体（以下，「40K」という。）が含まれており，該40Kが安定な元素へと崩壊（例えば，安定な40Caにベータ崩壊）する際に，エネルギー（崩壊エネルギー）が電子線等として放出され，空気中の水分子や酸素と衝突することで，水和電子，原子状水素，ヒドロキシルラジカル（・ＯＨ），過酸化水素（Ｈ2Ｏ2）等が生成される。また，前記水和電子と原子状水素は，空気中の酸素により酸化されることで，それぞれヒドロペルオキシルラジカル（・ＯＯＨ）とスーパーオキシドイオン（Ｏ2-）が生成される。
【００３２】
上述の強力な酸化力を有するヒドロキシルラジカルやスーパーオキシドイオン，過酸化水素等が，抗がん剤を分解する。なお，ヒドロキシリルラジカルにより抗がん剤が分解されることは，特開２００３−１９０９７５号公報に記載がある。
【００３３】
次に，上述した抗がん剤分解剤を前記繊維素材又は，繊維製品の繊維部に担持させる方法として，例えば，前記抗がん剤分解剤を適度な濃度に水で稀釈し液体にした抗がん剤分解剤液を調製し，該抗がん剤分解剤液を前記繊維素材又は，繊維製品の繊維部に含浸させた後，乾燥させる方法がある。
【００３４】
なお，前記抗がん剤分解剤液の好ましい組成比は，例えば，水９９．９％，鉄０．０３％，カリウム０．０３％，アルミニウム０．０２％，チタン０．０１％，ゼオライト０．０１％である。
【００３５】
前記抗がん剤分解剤液を含浸させる方法は，公知の手段を適用でき特に限定されないが，好ましい例を挙げると，例えば，図１に示すような，前記抗がん剤分解剤液１１の入った槽１２と，メインローラ１４と，ガイドローラ１５とを備える含浸装置１０を用意し，前記メインローラ１４と前記ガイドロール１５とに無端状態の被含浸物（例えば，布。）１７を巻き掛け，メインローラ１４を図示しない駆動手段によって回転駆動させて被含浸物を前記槽１２に送り出し，前記槽１２内の前記抗がん剤分解剤液の中に繰り返しくぐらせて含浸させる方法がある。
【００３６】
上述の他，単に攪拌槽内に抗がん剤分解剤液と被含浸物を入れて攪拌させて含浸させる方法でもよく，例えば，洗濯機に被含浸物と前記抗がん剤分解剤液を入れて攪拌させて含浸させても良い。
【００３７】
また，細い糸からなる繊維素材等を破断させずに含浸する方法としては，図２に示すような含浸装置２０を用いて，詳しくは，糸を穴あきボビン（円筒状の管）に巻き付けたチーズ２２を，円盤状のキャリア２４上に複数立設された，側面に多数の孔を有する中空の管から成るスピンドル２５に挿着（前記チーズ２２に前記スピンドル２５を通すように）して積み上げ，前記チーズ２２が多数装着された前記キャリア２４を処理槽２７内に装填した後，処理槽２７内に抗がん剤分解剤液２１を入れ，蓋２８を閉じて密閉する。
【００３８】
その後，密閉された状態で，密閉処理槽２７に設けられた加圧弁（図示せず。）により槽内を加圧しつつ，槽内の抗がん剤分解剤液をポンプ（図示せず。）で循環させ，前記スピンドル２５内からチーズ２２の外周側へ，またチーズ２２の外周側からスピンドル２５内へ抗がん剤分解剤液２１を通過させて含浸させる方法がある。
【００３９】
なお，単に抗がん剤分解剤液が入った釜内に糸を投入して，棒などで攪拌して抗がん剤分解剤液を糸に含浸させる方法でも良い。
【００４０】
また，含浸後に行われる乾燥方法も，公知の各種手段を適用でき，特に限定されるものでないが，例えば，クリップやピンなどの把持手段により布の幅方向端部を把持して幅方向で延伸した状態で，例えば熱板上や熱風炉内を搬送することで乾燥することが可能なテンタ式乾燥機や，前記チーズをキャリアのまま釜に装填しボビンの内から外に熱風を循環させ繊維を乾燥させるチーズ乾燥機等が使用できる。
【００４１】
また，本考案では，繊維素材の表面又は，繊維製品の繊維部の表面にバインダーが付着されていても良い。
【００４２】
前記バインダーを，繊維素材の表面又は，繊維製品の繊維部の表面に，好ましくは乾燥温度１００〜２００℃で蒸着させることで，耐洗濯性が付与され，これにより，洗濯によっても抗がん剤分解剤が流れ落ちることがなくなり，機能性が低下しなくなる。
【００４３】
なお，好ましいバインダーとしては，メラミン樹脂，グリオキ樹脂等が挙げられる。
【００４４】
繊維表面にバインダーを付与する方法については，公知の各種の手段が適用可能であり，特に限定されるものでないが，例えば，バインダーを含む加工液を布地に含浸させてマングルロール等で絞る工程（パッド），前記布地を乾燥する工程（ドライ）及び，バインダー（樹脂）の架橋結合を起こさせるために加熱する工程（キュア）から成るパッド−ドライ−キュア法が挙げられる。また，前記パッド−ドライ−キュア法の他，浴中法，スプレー法およびコーティング法等も挙げられる。
【実施例】
【００４５】
以下に，本考案の暴露対策用品の実施例について，抗がん剤分解能力の評価試験を行った結果を示す。
【００４６】
〔実施例〕
綿１００％，目付１２０g/m2，３０cm四方の生地に，抗がん剤分解剤液として（株）高橋練染製のDEOFACTOR（登録商標）が充填されたパレットに浸して含浸させた後乾燥させて，抗がん剤曝露対策用品を得た。なお，前記DEOFACTORの成分は，水９９．９％，鉄０．０３％，カリウム０．０３％，アルミニウム０．０２％，チタン０．０１％，ゼオライト０．０１％である。
【００４７】
そして，前記抗がん剤曝露対策用品から１０cm四方に切った処理布（実施例）を複数枚用意した。
【００４８】
〔比較例〕
一方，比較例として，何ら処理されていない，綿１００％，目付１２０g/m2，１０cm四方の未処理布（比較例）を用意した。
【００４９】
〔試験方法〕
試験対象となる抗がん剤としてシクロホスファミド（CPA）とフルオロウラシル（5FU）を採用した。
【００５０】
まず，前記シクロホスファミドをメタノールで稀釈したものから，シクロホスファミドのSTD（標準試料）濃度（CPA：０．５ng/ml）の１０倍の被検液Ａを調製した。
【００５１】
そして，前記処理布３枚（実施例）と前記未処理布（比較例）それぞれに前記被検液Ａを１ml滴下し，滴下後２４時間放置した。
【００５２】
同様に，前記フルオロウラシルをメタノールで稀釈したものから，フルオロウラシルのSTD（標準試料）濃度（５FU：２ng/ml）の１０倍の被検液Ｂを調製した。
【００５３】
そして，前記処理布３枚（実施例）と前記未処理布（比較例）それぞれに，前記被検液Ｂを１ml滴下し，滴下後２４時間放置した。
【００５４】
放置後の各布をチャック付きPP製袋に回収し，抽出液１０mLを加えて抽出し，得られた抽出液を検体としてLC/MS／MS（液体クロマトグラフィー質量分析法）で測定した。
【００５５】
〔試験結果〕
以下，試験結果を示す。
【００５６】
【表１】
0003225867.tif 000003
【００５７】
【表２】
0003225867.tif 000004
【００５８】
上記試験結果が示すように，未処理布（比較例）の前記検体の回収量に対して，処理布（実施例）の前記検体の回収量に減少が認められたことから，本考案の抗がん剤曝露対策用品は，抗がん剤の分解効果があるものと認められる。
【符号の説明】
【００５９】
１０  含浸装置
１１  抗がん剤分解剤液
１２  槽
１４  メインローラ
１５  ガイドローラ
１７  被含浸物
２０  含浸装置
２１  抗がん剤分解剤液
２２  チーズ
２４  キャリア
２５  スピンドル
２７  処理槽
２８  蓋
【図１】
0003225867.tif 000005
【図２】
0003225867.tif 000006